(57)【要約】【課題】電気式空気清浄機を簡便な構成により安定した電気接点構造をもたせて容易に、且つ正確に着脱できるようにした空気調和機を提供する。【解決手段】前面パネル４が、吸込口２を備えた上部パネル４ａと、吹出口３を備えた下部パネル４ｂとで構成され、電気式空気清浄機８の前部に支持片９が突設される一方、前記吸込口２の両側部に、前記支持片９を枢支する枢支部１０および前記電気式空気清浄機８の後部を係止する係止部１１を備えると共に、これら枢支部１０および係止部１１を接続して前記電気式空気清浄機８の底部を支持する支持部１２と、同支持部１２に前記枢支部１０を介して連続形成された補助支持部１２’　とでＬ字状に形成された支持体１３が設けられ、前記電気式空気清浄機８が、前記支持片９を前記枢支部１０で枢支し、底部を前記支持部１２で支持すると共に、後部を前記係止部１１で係止して前部が低くなるように装着されるようにした。【選択図】　図１
2004085138.tif 000002
【特許請求の範囲】
【請求項１】
本体を構成するベースの前部に、吸込口と吹出口とを上下部に備えた前面パネルを装着し、前記吸込口と前記吹出口とを結ぶ空気通路を構成する前記ベースに、熱交換器と送風ファンとを設け、前記吸込口の裏面にプレフィルタを設けると共に、同プレフィルタと前記熱交換器との間に電気式空気清浄機を着脱可能に装着してなる空気調和機において、
前記前面パネルが、前記吸込口を備えた上部パネルと、前記吹出口を備えた下部パネルとで構成され、前記電気式空気清浄機の前部に支持片が突設される一方、前記吸込口の両側部に、前記支持片を着脱可能に枢支する枢支部および前記電気式空気清浄機の後部を係脱可能に係止する係止部を備えると共に、これら枢支部および係止部を接続して前記電気式空気清浄機の底部を接離可能に支持する支持部と、同支持部に前記枢支部を介して連続形成された補助支持部とでＬ字状に形成された支持体が設けられ、前記電気式空気清浄機が、前記支持片を前記枢支部で枢支し、底部を前記支持部で支持すると共に、後部を前記係止部で係止して前部が低くなるように装着されてなることを特徴とする空気調和機。
【請求項２】
前記支持片が、前記電気式空気清浄機の前部両側に設けられた支軸からなり、前記枢支部が、前記支軸に対応して前記支持体に設けられ、上部に挿脱口を備えた半円弧状の支持面からなることを特徴とする請求項１に記載の空気調和機。
【請求項３】
前記支軸に平坦部が形成される一方、前記挿脱口が前記支軸に対し少許狭幅に形成されてなり、前記電気式空気清浄機を、同電気式空気清浄機の後部が前記枢支部の前方まで移動するように回動させた位置で、前記支軸を前記挿脱口に挿脱できるようにしてなることを特徴とする請求項２に記載の空気調和機。
【請求項４】
前記支持片が、前記電気式空気清浄機の前部に突設された係合片からなり、前記枢支部が、前記係合片に対応して前記支持体に設けられた係合孔からなることを特徴とする請求項１に記載の空気調和機。
【請求項５】
前記係合片が先細状に形成される一方、前記係合孔が前記係合片に対して平行なテーパ状に形成されてなることを特徴とする請求項４に記載の空気調和機。
【請求項６】
前記係合片が前記電気式空気清浄機に一体成形される一方、前記支持体が前記上部パネルに一体成形されてなることを特徴とする請求項１または請求項５に記載の空気調和機。
【請求項７】
前記係合片が前記電気式空気清浄機に一体成形される一方、前記支持体が、前記補助支持部の前端部に前記上部パネルに設けられた係止溝に係脱可能に係止する係止爪を備え、後端部に前記上部パネルまたは前記熱交換器の側板に設けられたねじ孔に対応する取付部を備えてなることを特徴とする請求項１または請求項５に記載の空気調和機。
【発明の詳細な説明】
【０００１】
【発明の属する技術分野】
本発明は、空気調和機に係わり、より詳細には、電気式空気清浄機を簡便な構成により容易に、且つ正確に着脱できるようにした構造に関する。
【０００２】
【従来の技術】
従来の空気調和機には、例えば図４（Ａ）および図４（Ｂ）で示すように、本体を構成するベース１の前部には、吸込グリル４ｃを有する吸込口２と、吹出口３とを上下部に備えた前面パネル４が装着され、前記吸込口２と前記吹出口３とを結ぶ空気通路を形成する前記ベース１には、送風ファン６が設けられると共に熱交換器５および同熱交換器５下部の露受けが取り付けられ、前記吸込口２の裏面にはプレフィルタ７が設けられ、同プレフィルタ７と前記熱交換器５との間には電気式空気清浄機８が着脱可能に設けられてなる構成であった。
【０００３】
上記構造により、前記電気式空気清浄機８は、通電部を兼ねたホルダＡによって前記熱交換器５の前部に添設された状態で保持されることにより、帯電手段を用いて空気中の粉塵粒子を帯電させると共に、この帯電した粒子を電極材料に印加された電圧により発生する電界によって集塵部で静電的に吸着させるようになっていた。
【０００４】
しかしながら、例えば前記電気式空気清浄機８を取り外し、メンテナンスしたのちに前記ホルダＡによって位置決めしながら保持するという一連の作業が面倒で作業性が悪い上、前記電気式空気清浄機８と前記ホルダＡとの間に位置ずれが生じたり、クリアランスが生じることによって放電現象が起きてしまうという問題点を有していた。
【０００５】
また、例えば図５（Ａ）および５（Ｂ）と、図６（Ａ）および６（Ｂ）とで示すように、前記電気式空気清浄機８は、同電気式空気清浄機８の後部と、予め前記上部パネル４ａもしくは前記熱交換器５に取り付けられているフィルタ枠８’とに設けられた係止部１１で係止されたのち、前部が前記フィルタ枠８’に設けられた係止爪ｂで係止されることにより装着されるようになっていた。
【０００６】
前記電気式空気清浄機８の導電部は、前記係止部１１を構成し、前記電気式空気清浄機８に設けられたガイドリブ１１ａ　からなる導電片ａと、前記フィルタ枠８’に前記ガイドリブ１１ａ　に対応して形成され、同ガイドリブ１１ａ　を導き入れて保持するガイド溝１１ｂ　に設けられた導電片ａ’とで形成されており、この場合、例えば着脱を連続して行なった場合には、接点の接触圧力が減少してしまうと共に、保持圧力も減少してしまう傾向にあるという問題点を有していた。
【０００７】
また、例えば図５（Ｃ）で示すような、所謂シーリングウォール型の空気調和機の奥行寸法Ｌ２は、図５（Ａ）で示す空気調和機の奥行寸法Ｌ１よりも大きいくなっており、且つ天井面に近接して据付設置される傾向にあることから、空気調和機内部の視認性が悪いため、メンテナンス時に、前記電気式空気清浄機８を取り付けたり取り外したりする時の作業性が悪いという問題点を有していた。
【０００８】
【発明が解決しようとする課題】
本発明は、上記問題点に鑑み、電気式空気清浄機を簡便な構成により安定した電気接点構造をもたせて容易に、且つ正確に着脱できるようにした空気調和機を提供することを目的とする。
【０００９】
【課題を解決するための手段】
本発明は、上記課題を解決するため、本体を構成するベースの前部に、吸込口と吹出口とを上下部に備えた前面パネルを装着し、前記吸込口と前記吹出口とを結ぶ空気通路を構成する前記ベースに、熱交換器と送風ファンとを設け、前記吸込口の裏面にプレフィルタを設けると共に、同プレフィルタと前記熱交換器との間に電気式空気清浄機を着脱可能に装着してなる空気調和機において、
前記前面パネルが、前記吸込口を備えた上部パネルと、前記吹出口を備えた下部パネルとで構成され、前記電気式空気清浄機の前部に支持片が突設される一方、前記吸込口の両側部に、前記支持片を着脱可能に枢支する枢支部および前記電気式空気清浄機の後部を係脱可能に係止する係止部を備えると共に、これら枢支部および係止部を接続して前記電気式空気清浄機の底部を接離可能に支持する支持部と、同支持部に前記枢支部を介して連続形成された補助支持部とでＬ字状に形成された支持体が設けられ、前記電気式空気清浄機が、前記支持片を前記枢支部で枢支し、底部を前記支持部で支持すると共に、後部を前記係止部で係止して前部が低くなるように装着されてなる構成となっている。
【００１０】
また、前記支持片が、前記電気式空気清浄機の前部両側に設けられた支軸からなり、前記枢支部が、前記支軸に対応して前記支持体に設けられ、上部に挿脱口を備えた半円弧状の支持面からなる構成となっている。
【００１１】
また、前記支軸に平坦部が形成される一方、前記挿脱口が前記支軸に対し少許狭幅に形成されてなり、前記電気式空気清浄機を、同電気式空気清浄機の後部が前記枢支部の前方まで移動するように回動させた位置で、前記支軸を前記挿脱口に挿脱できるようにしてなる構成となっている。
【００１２】
また、前記支持片が、前記電気式空気清浄機の前部に突設された係合片からなり、前記枢支部が、前記係合片に対応して前記支持体に設けられた係合孔からなる構成となっている。
【００１３】
また、前記係合片が先細状に形成される一方、前記係合孔が前記係合片に対して平行なテーパ状に形成されてなる構成となっている。
【００１４】
また、前記係合片が前記電気式空気清浄機に一体成形される一方、前記支持体が前記上部パネルに一体成形されてなる構成となっている。
【００１５】
更に、前記係合片が前記電気式空気清浄機に一体成形される一方、前記支持体が、前記補助支持部の前端部に前記上部パネルに設けられた係止溝に係脱可能に係止する係止爪を備え、後端部に前記上部パネルまたは前記熱交換器の側板に設けられたねじ孔に対応する取付部を備えてなる構成となっている。
【００１６】
【発明の実施の形態】
以下、本発明の実施の形態を図面に基づいた実施例として詳細に説明する。
図１は本発明による空気調和機の一実施例を示す説明図で、（Ａ）は電気式空気清浄機の前部が枢支され、後部が係止されようとしている状態を、（Ｂ）は電気式空気清浄機の前部が枢支されようとしている状態を、（Ｃ）は電気式空気清浄機の前部が枢支された状態を夫々示す断面図であり、図２は本発明による空気調和機の他の実施例を示す断面図であり、図３は本発明による空気調和機の説明図で、（Ａ）は電気式空気清浄機を支持する支持体の断面図、（Ｂ）は支持体を取り付けた状態を示す断面図である。
【００１７】
本発明による空気調和機は、図で示すように、本体を構成するベース１の前部に、吸込口２を備えた上部パネル４ａと、吹出口３を備えた下部パネル４ｂとからなる前面パネル４が装着されている。
【００１８】
前記吸込口２は、略水平状に形成された前記上部パネル４ａの後部前端（中央部）から、前端側が低くなるように傾斜させた前記上部パネル４ａの前部をなす傾斜部にわたって形成されており、この傾斜部に形成された前記吸込口２は、回動可能に、且つ着脱可能に設けられた吸込グリル４ｃからなる構成となっている。
【００１９】
また、前記下部パネル４ｂは、前方に行くにしたがって上方に湾曲するように形成されることにより、所謂シーリングウォール型に構成されて、前記上部パネル４ａを、被空気調和室の天井面に近接させた状態で据付設置されるようになっている。
【００２０】
前記吸込口２と、前記吹出口３とを結ぶ空気通路を形成する前記ベース１には、熱交換器５および送風ファン６が設けられると共に、前記熱交換器５の下部には露受けが設けられている。
【００２１】
前記吸込グリル４ｃの裏面には、プリーツ状に形成されたプレフィルタ７が着脱可能に設けられており、同プレフィルタ７と前記熱交換器５との間には、前部が少許低くなるように傾斜させた状態で、電気式空気清浄機８が前記吸込グリル４ｃに対向するように着脱可能に装着されている。
【００２２】
前記吸込口２から吸い込まれた空気は、この吸込空気中に含まれた塵埃が前記プレフィルタ７によって除去されると共に、前記電気式空気清浄機８を通過させることにより、帯電手段を用いて空気中の粉塵粒子を帯電させ、この帯電した粒子を電極材料に印加された電圧により発生する電界によって集塵部で静電的に吸着させたのち、前記吹出口３に送出されるようになっている。
【００２３】
ここで、前記電気式空気清浄機８を着脱可能に装着できるようにした構成について説明する。
前記電気式空気清浄機８の前部には支持片９が突設される一方、前記吸込口２の両側部には、前記支持片９を着脱可能に枢支する枢支部１０および前記電気式空気清浄機８の後部を係脱可能に係止する係止部１１を備えると共に、これら枢支部１０および係止部１１を接続して前記電気式空気清浄機８の底部を接離可能に支持する支持部１２と、同支持部１２に前記枢支部１０を介して連続形成された補助支持部１２’　とでＬ字状に形成された支持体１３が設けられた構成になっている。
【００２４】
これにより、前記電気式空気清浄機８が、前記支持片９を前記枢支部１０で枢支し、底部を前記支持部１２で支持すると共に、後部を前記係止部１１で係止することにより前部が低くなるように装着されるようになっている。
【００２５】
前記支持体１３は、前記吸込口２の両側部に設けられることにより、前記支持部１２で前記電気式空気清浄機８の両側底部を支持するようになっているので、前記熱交換器５の前部を遮蔽することなく、室内空気を前記吸込口２から円滑に吸い込めるようにいなっている。
【００２６】
そして、前記支持片９は、前記枢支部１０によって枢支される一方、前記係止部１１により前記電気式空気清浄機８の後部が係脱可能に係止されることにより、同電気式空気清浄機８は、その前部が低くなるように傾斜させた状態で装着されることにより、傾斜した同電気式空気清浄機８の上面が、前記吸込グリル４ｃおよび前記プレフィルタ７に対して平行状態になっている。
【００２７】
以上の構成により、次にその動作について説明する。
例えばメンテナンス時に前記電気式空気清浄機８を取り外す際、図１（Ａ）乃至図１（Ｃ）で示すように、前記プレフィルタ７を裏面に装着した前記吸込グリル４ｃを回動し、（または回動したのちに取り外して）前記上部パネル４ａの傾斜部に形成された吸込口２を開放し、前記係止部１１から前記電気式空気清浄機８の後部を離脱させる。
【００２８】
次に、図１（Ｃ）で示すように、前記枢支部１０を中心に前記電気式空気清浄機８を回動させて、その後部を前記枢支部１０の前方まで移動させる。
【００２９】
そして、図１（Ｂ）で示すように、前記電気式空気清浄機８を上方に引き上げながら前記支持片９を前記枢支部１０から容易に離脱させることができるので、取り外すための作業に困難性はなく作業性は良好である。
【００３０】
また、前記電気式空気清浄機８を取り付ける時には、裏面に前記プレフィルタ７を装着した前記吸込グリル４ｃを回動し、上記説明のような取り外し時とは逆の手順によって作業を行うようにすればよい。
【００３１】
すなわち、前記電気式空気清浄機８を、図１（Ｂ）で示すように前記吸込口２から挿入しながら、図１（Ｃ）で示すように、前記支持片９を前記枢支部１０に係合させる。
【００３２】
次に、前記枢支部１０を中心に、図１（Ａ）で示すように前記電気式空気清浄機８を回動させ、同電気式空気清浄機８の底部が前記支持部１２で支持される状態にして、同電気式空気清浄機８の後部を前記係止部１１で係止する。
【００３３】
この一連の動作には、取り外し時の場合と同様に、前記電気式空気清浄機８を取り付けるための作業に困難性はなく、とくに、本発明による空気調和機は、所謂シーリングウォール型に構成され、前記上部パネル４ａを被空気調和室の天井面に近接させた状態で据付設置されていて、例え前記枢支部１０の位置を正確に視認できない状態であっても、同枢支部１０は、前記支持部１２および前記補助支持部１２’　の接合個所になっていることから、これら支持部１２および補助支持部１２’　をガイドにして、前記支持片９を容易に係合できるようになっているので作業性は良好である。
【００３４】
ここで、前記支持片９および前記枢支部１０の構成について、一実施例として示した図１（Ａ）乃至図１（Ｃ）に基づいて詳細に説明する。
前記支持片９が、前記電気式空気清浄機８の前部両側に設けられた支軸９ａからなり、前記枢支部１０が、前記支軸９ａに対応して前記支持体１３に設けられ、上部に挿脱口１０ａ　を備えた半円弧状の支持面１０ｂ　からなる構成にしている。
【００３５】
これによって、前記電気式空気清浄機８を着脱する際、前記支軸９ａを前記挿脱口１０ａ　から容易に、且つ正確に挿脱できるようになると共に、前記電気式空気清浄機８の自重により、前記支軸９ａが前記支持面１０ｂ　を所定の加圧力で常時加圧しているので、これら支軸９ａおよび支持面１０ｂ　に夫々導電片ａおよびａ’としての機能をもたせることで、安定した接点構造からなる正確な導電部を形成できる。
【００３６】
なお、前記支軸９ａには平坦部９ｂが形成される一方、前記挿脱口１０ａ　が前記支軸９ａに対し少許狭幅に形成されてなり、前記電気式空気清浄機８を、同電気式空気清浄機８の後部が前記枢支部１０の前方まで移動するように回動させた位置で、前記支軸９ａを前記挿脱口１０ａ　に挿脱できる構成となっているので、前記挿脱口１０ａ　に対し前記支軸９ａを円滑に挿脱できると共に、前記支持面１０ｂ　により前記支軸９ａをガタツキなく正確に支持できる。
【００３７】
次に、前記支持片９および前記枢支部１０について、他の実施例を図２に基づいて説明する。
前記支持片９が、前記電気式空気清浄機８の前部に突設された係合片９ｃからなり、前記枢支部１０が、前記係合片９ｃに対応して前記支持体１３に設けられた係合孔１０ｃ　からなる構成となっている。
【００３８】
これによって、前記電気式空気清浄機８を着脱する際、前記係合片９ｃを前記係合孔１０ｃ　に容易に、且つ正確に係合できるようになると共に、前記電気式空気清浄機８の両側底部が前記支持部１２で支持された状態で、前記係合片９ｃおよび前記係合孔１０ｃ　に夫々設けられた導電片ａおよびａ’によって、安定した接点構造からなる正確な導電部を形成できる。
【００３９】
また、前記係合片９ｃが先細状に形成される一方、前記係合孔１０ｃ　が前記係合片９ｃに対して平行なテーパ状でなる構成にすることにより、前記係合片９ｃを前記係合孔１０ｃ　に更に容易に、且つ正確に係合できるようになる。
【００４０】
また、前記係合片９ｃが前記電気式空気清浄機８に一体成形される一方、前記支持体１３が前記上部パネル４ａに一体成形されることにより、コスト的に有利な簡便な構成となる。
【００４１】
または、図３（Ａ）および図３（Ｂ）で示すように、前記係合片９ｃが前記電気式空気清浄機８に一体成形される一方、前記支持体１３がＬ字状に形成されると共に、前端部に前記上部パネル４ａに設けられた係止溝１４に係脱可能に係止する係止爪１３ａ　を備え、後端部に前記上部パネル４ａまたは前記熱交換器５の側板５ａに設けられたねじ孔５ｂに対応する取付部１５を備えた構成にする。
【００４２】
これにより、前記支持体１３を別体で形成するという点ではディメリットが生じる一方、空気調和機を、例えば性能等による段階的な商品群としてブランド展開をはかる際、前記支持体１３を商品群の多様性に対応できるようにするための構成部材にすることができる。
【００４３】
また、図示はしないが、前記支軸９ａまたは前記係合片９ｃに付勢ばねを装着して、前記電気式空気清浄機８の後部を、前記枢支部１０の前方まで回動させるように付勢することにより、前記電気式空気清浄機８の着脱性を更に向上させることができる。
【００４４】
【発明の効果】
以上説明したように、本発明によると、電気式空気清浄機を簡便な構成により安定した電気接点構造をもたせて容易に、且つ正確に着脱できるようにした空気調和機となる。
【図面の簡単な説明】
【図１】本発明による空気調和機の一実施例を示す説明図で、（Ａ）は電気式空気清浄機の前部が枢支され、後部が係止されようとしている状態を示す断面図であり、（Ｂ）は電気式空気清浄機の前部が枢支されようとしている状態を示す断面図であり、（Ｃ）は電気式空気清浄機の前部が枢支された状態を示す断面図である。
【図２】本発明による空気調和機の他の実施例を示す断面図である。
【図３】本発明による空気調和機の説明図で、（Ａ）は電気式空気清浄機を支持する支持体の断面図であり、（Ｂ）は支持体を取り付けた状態を示す断面図である。
【図４】従来例による空気調和機の一実施例を示す説明図で、（Ａ）は電気式空気清浄機を装着した状態を示す断面図であり、（Ｂ）は電気式空気清浄機を取り外した状態を示す要部断面図である。
【図５】従来例による空気調和機の他の実施例を示す説明図で、（Ａ）は第一例を示す断面図であり、（Ｂ）は第一例の要部断面図であり、（Ｃ）は第二例を示す断面図である。
【図６】従来例による空気調和機の要部説明図で、（Ａ）は電気式空気清浄機を支持する状態を示す分解断面図であり、（Ｂ）は組立状態を示す断面図である。
【符号の説明】
１　ベース
２　吸込口
３　吹出口
４　前面パネル
４ａ　上部パネル
４ｂ　下部パネル
４ｃ　吸込グリル
５　熱交換器
５ａ　側板
５ｂ　ねじ孔
６　送風ファン
７　プレフィルタ
８　電気式空気清浄機
９　支持片
９ａ　支軸
９ｂ　平坦部
９ｃ　係合片
１０　枢支部
１０ａ　挿脱口
１０ｂ　支持面
１０ｃ　係合孔
１１　係止部
１２　支持部
１２’　補助支持部
１３　支持体
１４　係止溝
１５　取付部
ａ，ａ’　導電片
【図１】
2004085138.tif 000003
【図２】
2004085138.tif 000004
【図３】
2004085138.tif 000005
【図４】
2004085138.tif 000006
【図５】
2004085138.tif 000007
【図６】
2004085138.tif 000008